【事件の表示】
　特願２０１３−５５５８７９「増幅器モジュール」拒絶査定不服審判事件〔平成２４年　９月　７日国際公開、ＷＯ２０１２／１１７０７２、平成２６年　５月１５日国内公表、特表２０１４−５１１６２６〕について、次のとおり審決する。
【結　論】
　本件審判の請求は、成り立たない。
【理　由】
第１　手続の経緯 
　本願は、平成２４年３月１日（パリ条約に基づく優先権主張外国庁受理　平成２３年３月３日　ドイツ（ＤＥ））を国際出願日とする特許出願であって、平成２６年８月２５日付け拒絶理由通知に対する応答時、同年１１月１４日付けで手続補正がなされたが、平成２７年４月３０日付けで拒絶査定がなされ、これに対して、同年８月２８日付けで拒絶査定不服審判の請求及び手続補正がなされたものである。
 　 
第２　平成２７年８月２８日付けの手続補正についての補正却下の決定 
［補正却下の決定の結論］ 
　平成２７年８月２８日付けの手続補正を却下する。 
［理　由］ 
１．補正後の本願発明 
　平成２７年８月２８日付けの手続補正（以下、「本件補正」という。）により、特許請求の範囲の請求項１と請求項２３は、 
「【請求項１】
　少なくとも１つの増幅器（ＰＡ)と、
　１つのアンテナポート（ＡＮＴ）と、
　１つの送信ポート（ＴＸ）と、
　１つの受信ポート（ＲＸ）と、
　少なくとも３つの９０°ハイブリッド（ＨＹＢ１，ＨＹＢ２，ＨＹＢ３）を備え、前記９０°ハイブリッドのそれぞれが入力信号を２つの出力信号に分割し、当該２つの出力信号は、互いに９０°の相対的位相シフトを有するようになっている回路装置と、
を備える増幅器モジュールであって、
　前記アンテナポート，前記送信ポート，および前記受信ポート（ＡＮＴ，ＴＸ，ＲＸ）は、それぞれ少なくとも１つの９０°ハイブリッド（ＨＹＢ１，ＨＹＢ２，ＨＹＢ３）に接続されており、
　前記増幅器（ＰＡ）の少なくとも１つは、前記送信ポート（ＴＸ）と前記９０°ハイブリッドの１つ（ＨＹＢ１）との間に直列に接続されており、
　前記増幅器モジュールの増幅器および／または少なくとも１つの９０°ハイブリッドは、１つの低抵抗出力ステージを備え、
　前記増幅器モジュールは、１つの増幅器（ＰＡ）および／または１つの９０°ハイブリッドの後に、インピーダンス変換ネットワーク（ＭＮ）を備え
、
　
前記回路装置は、異なる周波数帯域をカバーするように、周波数帯域当り２つのデュプレクサを有し、異なるデュプレクサおよび周波数帯域の間で切替える手段を備え
「【請求項２３】
　少なくとも１つの増幅器（ＰＡ)と、
　１つのアンテナポート（ＡＮＴ）と、
　１つの送信ポート（ＴＸ）と、
　１つの受信ポート（ＲＸ）と、
　少なくとも３つの９０°ハイブリッド（ＨＹＢ１，ＨＹＢ２，ＨＹＢ３）を備え、前記９０°ハイブリッドのそれぞれが入力信号を２つの出力信号に分割し、当該２つの出力信号は、互いに９０°の相対的位相シフトを有するようになっている回路装置と、
を備える増幅器モジュールであって、
　前記アンテナポート，前記送信ポート，および前記受信ポート（ＡＮＴ，ＴＸ，ＲＸ）は、それぞれ少なくとも１つの９０°ハイブリッド（ＨＹＢ１，ＨＹＢ２，ＨＹＢ３）に接続されており、
　前記増幅器（ＰＡ）の少なくとも１つは、前記送信ポート（ＴＸ）と前記９０°ハイブリッドの１つ（ＨＹＢ１）との間に直列に接続されており、
　前記増幅器モジュールは、１つの増幅器（ＰＡ）または１つの増幅器ユニットに対し１つの電圧変調器（ＶＭＣ）を備え
、
　
前記回路装置は、異なる周波数帯域をカバーするように、周波数帯域当り２つのデュプレクサを有し、異なるデュプレクサおよび周波数帯域の間で切替える手段を備え
とそれぞれ補正された。
　上記補正は、請求項１、請求項２３にそれぞれ記載された発明を特定するために必要な事項である、少なくとも３つの９０°ハイブリッドを備える「回路装置」について、「異なる周波数帯域をカバーするように、周波数帯域当り２つのデュプレクサを有し、異なるデュプレクサおよび周波数帯域の間で切替える手段」を備えるとの限定を付加するものである。 
　よって、本件補正は、特許法第１７条の２第５項第２号に掲げる特許請求の範囲の減縮を目的とするものに該当する。 
　
２．独立特許要件について
　そこで、本件補正後の上記請求項１に記載された発明、上記請求項２３に記載された発明（以下、「本願補正発明」という。）、さらには請求項１や請求項２３を引用する各請求項に記載された発明が特許出願の際独立して特許を受けることができるものであるか（特許法第１７条の２第６項において準用する同法第１２６条第７項に規定する要件を満たすか）否かについて以下に検討する。 
 　 
２−１．特許法第２９条第２項
（１）引用例 
　原査定の拒絶の理由に引用された米国特許出願公開第２００７／００１５４６８号明細書（以下、「引用例」という。）には、「BALANCED ACTIVE AND PASSIVE DUPLEXERS」について、図面とともに以下の各記載がある（なお、当審による翻訳文を付記する。下線は当審で付与した。）。 
　ア．「［0002］ The invention relates to telecommunications. Inparticular, the invention pertains to an active balanced duplexer.」
（［0002］ 本発明は電気通信に関する。特に、
本発明はアクティブバランス型デュプレクサに関する
　イ．「［0022］ FIG. 8 is a block diagram which shows a signal cancellation architecture used with filter-based or circulator based duplexers to improve TX-RX isolation according to a sixth embodiment of the invention.」
（［0022］ 図
８は、本発明の第６実施形態に従ってＴＸ−ＲＸ間のアイソレーションを改善するためにフィルタベース
のデュプレクサを用いた信号キャンセレーション構造を示すブロック図
　 
　ウ．「［0055］ Referring to FIG. 8 , there is shown another embodiment of a balanced duplexer. 
［0056］ In this embodiment, a signal to transmit is generated by the transmitter 86 . The generated signal is then received by a divider 88 . The divider 88  is a 90°hybrid couplers that divides by 2 an incoming signal. It will be appreciated that one of the divided signal outputted by the divider 88 is further shifted in phase by an amount of 90 degrees with respect to the other divided signal. 
［0057］ One of the divided signals outputted by the divider 88 is provided to a first duplexer 90 while the other divided signal outputted by the divider 88  is provided to a second duplexer 92 . It will be appreciated that the first duplexer 90 and the second duplexer 92 are preferably the same. It will be appreciated that optional filters may be provided after the duplexers 90 and 92 as well as before 88 and after 96 . 
［0058］ A first combiner/divider 94  is another 90°hybrid coupler, which is used to combine, i.e. adds, the signals outputted by both duplexers 90 and 92 to be fed to the antenna 98 . 
［0059］ A second combiner 96 , a third 90°hybrid coupler, also receives signals provided by the first and the second duplexers 90 and 92 . The second combiner 96  is adapted to subtract both signals canceling any leaking signal. 
［0060］ In the case of a signal received by the antenna 98 , the 90°hybrid coupler 94 separates the received signal into two signals, one of which is provided to the first duplexer 90 while the other is provided to the second duplexer 92 . It will be appreciated that one of the divided received signal outputted by the hybrid coupler 94 is phased shifted an amount of 90 degrees with respect to the other divided signal. The combiner 96 then adds both signals outputted by the first duplexer 90 and the second duplexer 92 and feeds the summed received signal to the receiver. 
［0061］ It will be appreciated that in the case where both duplexers are circulator-based duplexers, it is possible to add filters in order to enhance performance. 
［0062］ It will be appreciated that using hybrid couplers leads to improved impedance matching at the three ports (TX, RX and ANT), It will be further appreciated by those skilled in the field that the use of the hybrid coupler in the transmitter path (88) coupled with the use of a dummy load at its forth port can replace the use of an isolator component at the output of the transmitter to protect the transmitter's power amplifier, thus resulting in dual function (isolator/duplexer) and system cost savings. 
［0063］ It will be appreciated that the topology of the present embodiment of the invention enables that desired signals are summed, i.e. added constructively, while undesired leakage signals are subtracted, i.e. added destructively, without the need for any control elements. This topology also insures virtually no degradation on insertion loss in transmitter to antenna and antenna to receiver paths. 」
（［0055］ 
図８を参照すると、バランス型デュプレクサのもう１つの実施形態が示されている
［0056］ 本実施形態では、
送信信号がトランスミッタ８６によって生成される。生成された信号は、デバイダ８８によって受信される。デバイダ８８は、入力信号を２つに分ける９０°ハイブリッドカプラである。デバイダ８８によって出力される分割信号はもう一方の分割信号に対して９０度分の位相シフトする
［0057］ 
デバイダ８８によって出力された分割信号の１つは、第１デュプレクサ９０に渡され、デバイダ８８によって出力された分割信号のもう１つは第２デュプレクサ９２に渡される
［0058］ 
第１コンバイナ／デバイダ９４は、もう１つの９０°ハイブリッドカプラであり、アンテナ９８への供給のためデュプレクサ９０および９２の両方によって出力される信号を結合、つまり足すのに使われる
［0059］ 
第２コンバイナ９６は、第３の９０°ハイブリッドカプラであり、第１デュプレクサ９０と第２デュプレクサ９２によって供給された信号を受信もする。第２コンバイナ９６は、漏洩したすべての信号をキャンセルして、両方の信号を減らすのに適している
［0060］ 
アンテナ９８が受信した信号の場合、９０°ハイブリッドカプラ９４は受信した信号を２つに分ける。そのうち１つは第１デュプレクサ９０に、もう１つは第２デュプレクサ９２に提供される。ハイブリッドカプラ９４によって出力された分割受信信号は、もう一方の分割信号に対して９０度分の位相シフトすることが理解されよう。コンバイナ９６は第１デュプレクサ９０と第２デュプレクサ９２によって出力された両方の信号を足して、合わせた受信信号をレシーバに供給する
［0061］ 両方のデュプレクサがサーキュレータベースのデュプレクサである場合、性能をより良くするためにフィルタを加えることが可能であると理解されよう。
［0062］ 
ハイブリッドカプラを使用することが、３つのポート（ＴＸ、ＲＸ、ＡＮＴ）でのインピーダンス整合の改善に導くということが理解されよう
トランスミッタの電力増幅器
［0063］ 
本発明における本実施形態のトポロジは、あらゆる制御要素を必要とすることなく、望まない漏洩信号を減らす、つまり相殺的に足す一方で、希望の信号を合わす、つまり建設的に足すことを可能にするということが理解されよう
　
　・上記引用例に記載の「BALANCED ACTIVE AND PASSIVE DUPLEXERS」は、上記「ア．」の記載事項によれば、アクティブバランス型デュプレクサに関し、中でも上記「イ．」、「ウ．」の［0055］の記載事項によれば、図８に示される第６実施形態に係るものは、ＴＸ−ＲＸ間のアイソレーションを改善するためにフィルタベースのバランス型デュプレクサを用いた信号キャンセレーション構造を有する装置に関するものであるといえる。
　・上記「ウ．」の［0056］、［0062］の記載事項、及び図８によれば、ＴＸポートを有するトランスミッタ８６によって送信信号が生成される。
　なお、上記「ウ．」の［0062］の記載事項によれば、技術常識からしてもトランスミッタ８６は少なくとも電力増幅器を有することが理解できる。
　・上記「ウ．」の［0056］の記載事項、及び図８によれば、トランスミッタ８６にはデバイダ８８が接続され、当該デバイダ８８は、入力信号（トランスミッタ８６によって生成された送信信号）を２つに分ける９０゜ハイブリッドカプラであり、当該９０゜ハイブリッドカプラは、出力される分割信号を互いに９０度分位相シフトするものである。
　・上記「ウ．」の［0057］の記載事項、及び図８によれば、デバイダ８８には第１デュプレクサ９０及び第２デュプレクサ９２（ともにフィルタベースのデュプレクサである）が接続され、デバイダ８８によって出力された分割信号の１つは第１デュプレクサ９０に入力され、もう１つの分割信号は第２デュプレクサ９２に入力される。
　・上記「ウ．」の［0058］、［0060］、［0062］、［0063］の記載事項、及び図８によれば、９０°ハイブリッドカプラである第１コンバイナ／デバイダ９４が、第１デュプレクサ９０及び第２デュプレクサ９２と、ＡＮＴポートを有するアンテナ９８との間に接続され、第１デュプレクサ９０及び第２デュプレクサ９２の両方によって出力される信号を足し合わせてアンテナ９８へ供給し、また、アンテナ９８が受信した信号を２つの分割受信信号に分け、１つの分割受信信号は第１デュプレクサに入力され、もう１つの分割受信信号は第２デュプレクサに入力される。
　・上記「ウ．」の［0059］〜［0063］の記載事項、及び図８によれば、９０°ハイブリッドカプラである第２コンバイナ９６が、第１デュプレクサ９０及び第２デュプレクサ９２と、ＲＸポートを有するレシーバ１００との間に接続され、第１デュプレクサ９０及び第２デュプレクサ９２の両方によって出力される信号を足し合わせた受信信号をレシーバ１００に供給するとともに、すべての漏洩信号をキャンセルする（相殺的に足して減らす）ことができるものである。
　
　したがって、特に図８に示される第６実施形態に係るものに着目し、上記記載事項及び図面を総合勘案すると、引用例には、次の発明（以下、「引用発明」という。）が記載されている。 
「少なくともＴＸポートと電力増幅器を有し、送信信号を生成するトランスミッタと、
　前記トランスミッタに接続され、入力信号（前記トランスミッタによって生成された送信信号）を互いに９０度分位相シフトした２つの分割信号に分ける９０゜ハイブリッドカプラであるデバイダと、
　前記デバイダにそれぞれ接続され、前記デバイダによって出力された２つの分割信号がそれぞれ入力される第１デュプレクサ及び第２デュプレクサと、
　前記第１デュプレクサ及び前記第２デュプレクサと、ＡＮＴポートを有するアンテナとの間に接続され、前記第１デュプレクサ及び前記第２デュプレクサの両方によって出力される信号を足し合わせた送信信号を前記アンテナへ供給し、また、前記アンテナが受信した信号を２つの分割受信信号に分け、１つの分割受信信号は前記第１デュプレクサに入力され、もう１つの分割受信信号は前記第２デュプレクサに入力されるようにした、９０°ハイブリッドカプラである第１コンバイナ／デバイダと、
　前記第１デュプレクサ及び前記第２デュプレクサと、ＲＸポートを有するレシーバとの間に接続され、前記第１デュプレクサ及び前記第２デュプレクサの両方によって出力される信号を足し合わせた受信信号を前記レシーバに供給するとともに、すべての漏洩信号をキャンセルする（相殺的に足して減らす）ことができる、９０°ハイブリッドカプラである第２コンバイナと、を備える、ＴＸ−ＲＸ間のアイソレーションを改善するためにフィルタベースのバランス型デュプレクサを用いた信号キャンセレーション構造を有する装置。」 
　 
（２）対比 
　そこで、本願補正発明と引用発明とを対比すると、 
　ア．引用発明における「少なくともＴＸポートと電力増幅器を有し、送信信号を生成するトランスミッタと、前記トランスミッタに接続され、入力信号（前記トランスミッタによって生成された送信信号）を互いに９０度分位相シフトした２つの分割信号に分ける９０゜ハイブリッドカプラであるデバイダと」によれば、
 (a)引用発明における「ＴＸポート」、「電力増幅器」、「９０゜ハイブリッドカプラであるデバイダ」は、それぞれ本願補正発明でいう「送信ポート（ＴＸ）」、「増幅器（ＰＡ）」、「９０°ハイブリッド（ＨＹＢ１）」に相当し、
 (b)また、引用発明におけるトランスミッタと９０゜ハイブリッドカプラであるデバイダとが接続されていることから、技術常識からして当該トランスミッタが有する「電力増幅器」は、ＴＸポートと９０゜ハイブリッドカプラであるデバイダとの間に直列に接続されているということができる。
　したがって、本願補正発明と引用発明とは、「少なくとも１つの増幅器（ＰＡ）」と「１つの送信ポート（ＴＸ）」とを備える点、および「前記増幅器（ＰＡ）の少なくとも１つは、前記送信ポート（ＴＸ）と前記９０°ハイブリッドの１つ（ＨＹＢ１）との間に直列に接続されて」いる点で一致するといえる。
　
　イ．引用発明における「前記第１デュプレクサ及び前記第２デュプレクサと、ＡＮＴポートを有するアンテナとの間に接続され、・・」によれば、
　引用発明における「ＡＮＴポート」は、本願補正発明でいう「アンテナポート（ＡＮＴ）」に相当し、
　本願補正発明と引用発明とは、「１つのアンテナポート（ＡＮＴ）」とを備える点で一致する。　
　
　ウ．引用発明における「前記第１デュプレクサ及び前記第２デュプレクサと、ＲＸポートを有するレシーバとの間に接続され、・・」によれば、
　引用発明における「ＲＸポート」は、本願補正発明でいう「受信ポート（ＲＸ）」に相当し、
　本願補正発明と引用発明とは、「１つの受信ポート（ＲＸ）」とを備える点で一致する。
　エ．引用発明における「前記トランスミッタに接続され、入力信号（前記トランスミッタによって生成された送信信号）を互いに９０度分位相シフトした２つの分割信号に分ける９０゜ハイブリッドカプラであるデバイダと、前記デバイダにそれぞれ接続され、前記デバイダによって出力された２つの分割信号がそれぞれ入力される第１デュプレクサ及び第２デュプレクサと、前記第１デュプレクサ及び前記第２デュプレクサと、ＡＮＴポートを有するアンテナとの間に接続され、前記第１デュプレクサ及び前記第２デュプレクサの両方によって出力される信号を足し合わせた送信信号を前記アンテナへ供給し、また、前記アンテナが受信した信号を２つの分割受信信号に分け、１つの分割受信信号は前記第１デュプレクサに入力され、もう１つの分割受信信号は前記第２デュプレクサに入力されるようにした、９０°ハイブリッドカプラである第１コンバイナ／デバイダと、前記第１デュプレクサ及び前記第２デュプレクサと、ＲＸポートを有するレシーバとの間に接続され、前記第１デュプレクサ及び前記第２デュプレクサの両方によって出力される信号を足し合わせた受信信号を前記レシーバに供給するとともに、すべての漏洩信号をキャンセルする（相殺的に足して減らす）ことができる、９０°ハイブリッドカプラである第２コンバイナと」によれば、
 (a)上記「ア．」でも指摘したとおり、引用発明における「９０゜ハイブリッドカプラであるデバイダ」は、本願補正発明でいう「９０°ハイブリッド（ＨＹＢ１）」に相当し、さらに、引用発明における「９０°ハイブリッドカプラである第２コンバイナ」、「９０°ハイブリッドカプラである第１コンバイナ／デバイダ」は、それぞれ本願補正発明でいう「９０°ハイブリッド（ＨＹＢ２）」「９０°ハイブリッド（ＨＹＢ３）」に相当し、引用発明にあっても、これらはいずれも９０゜ハイブリッドカプラからなるものであり、入力信号を互いに９０°の相対的位相シフトを有する２つの出力信号に分割するようになっている回路装置といえるものである。
　したがって、本願補正発明と引用発明とは、「少なくとも３つの９０°ハイブリッド（ＨＹＢ１，ＨＹＢ２，ＨＹＢ３）を備え、前記９０°ハイブリッドのそれぞれが入力信号を２つの出力信号に分割し、当該２つの出力信号は、互いに９０°の相対的位相シフトを有するようになっている回路装置」とを備える点で一致する。
 (b)また、引用発明における「９０゜ハイブリッドカプラであるデバイダ」、「９０°ハイブリッドカプラである第２コンバイナ」、「９０°ハイブリッドカプラである第１コンバイナ／デバイダ」は、それぞれＴＸポートを有するトランスミッタ、ＲＸポートを有するレシーバ、ＡＮＴポートを有するアンテナと接続されるものである。
　したがって、本願補正発明と引用発明とは、「前記アンテナポート，前記送信ポート，および前記受信ポート（ＡＮＴ，ＴＸ，ＲＸ）は、それぞれ少なくとも１つの９０°ハイブリッド（ＨＹＢ１，ＨＹＢ２，ＨＹＢ３）に接続されて」いる点で一致するということができる。
 (c)さらに、引用発明においても「第１デュプレクサ及び第２デュプレクサ」を有し、これらは本願補正発明でいうところの「回路装置」を構成する「９０゜ハイブリッドカプラであるデバイダ」、「９０°ハイブリッドカプラである第２コンバイナ」及び「９０°ハイブリッドカプラである第１コンバイナ／デバイダ」と接続されてなるものであることから、当該「第１デュプレクサ及び第２デュプレクサ」も本願補正発明でいうところの「回路装置」を構成するものであるとみることができ、
　本願補正発明と引用発明とは、「前記回路装置は、デュプレクサを有」する点では共通するといえる。
　ただし、本願補正発明では、回路装置について「異なる周波数帯域をカバーするように、周波数帯域当り２つ」のデュプレクサを有し、「異なるデュプレクサおよび周波数帯域の間で切替える手段」を備える旨特定するのに対して、引用発明では、２つのデュプレクサを有するものの、そのような異なる周波数帯域に関連した特定を有してない点で相違している。
　カ．そして、引用発明における「・・、ＴＸ−ＲＸ間のアイソレーションを改善するためにフィルタベースのバランス型デュプレクサを用いた信号キャンセレーション構造を有する装置。」によれば、
　当該信号キャンセレーション構造を有する「装置」は、上記「ア．」で指摘したとおり少なくとも電力増幅器を有するものであり、また、当該装置自体、ひとまとまりの機能を持った装置であるといえるから、本願補正発明でいう「増幅器モジュール」に相当するとみることができるものである。
　
　よって、本願補正発明と引用発明とは、 
「少なくとも１つの増幅器（ＰＡ)と、
　１つのアンテナポート（ＡＮＴ）と、
　１つの送信ポート（ＴＸ）と、
　１つの受信ポート（ＲＸ）と、
　少なくとも３つの９０°ハイブリッド（ＨＹＢ１，ＨＹＢ２，ＨＹＢ３）を備え、前記９０°ハイブリッドのそれぞれが入力信号を２つの出力信号に分割し、当該２つの出力信号は、互いに９０°の相対的位相シフトを有するようになっている回路装置と、
を備える増幅器モジュールであって、
　前記アンテナポート，前記送信ポート，および前記受信ポート（ＡＮＴ，ＴＸ，ＲＸ）は、それぞれ少なくとも１つの９０°ハイブリッド（ＨＹＢ１，ＨＹＢ２，ＨＹＢ３）に接続されており、
　前記増幅器（ＰＡ）の少なくとも１つは、前記送信ポート（ＴＸ）と前記９０°ハイブリッドの１つ（ＨＹＢ１）との間に直列に接続されており、
　前記回路装置は、デュプレクサを有する増幅器モジュール。」 
である点で一致し、以下の点で相違する。 
［相違点１］　 
　本願補正発明では、「１つの増幅器（ＰＡ）または１つの増幅器ユニットに対し１つの電圧変調器（ＶＭＣ）」を備える旨特定するのに対し、引用発明では、そのような特定を有してない点。
　
［相違点２］ 
　回路装置について、本願補正発明では、「異なる周波数帯域をカバーするように、周波数帯域当り２つ」のデュプレクサを有し、「異なるデュプレクサおよび周波数帯域の間で切替える手段」を備える旨特定するのに対し、引用発明では、２つのデュプレクサを有するものの、そのような異なる周波数帯域に関連した特定を有してない点。
　
（３）判断 
　上記相違点について検討する。 
［相違点１］について 
　例えば原査定の拒絶の理由に引用された特開平３−２７６９１２号公報（特に１頁右下欄１８行〜２頁左下欄４行、第２９図を参照）、特開２００５−２０６９６号公報（特に段落【０００２】、【０００６】を参照）、及び特開２００８−１９３２９８号公報（特に段落【０００１】〜【０００３】、図５を参照）に記載のように、通信機器（特に送信装置）に使用される電力増幅器において、当該電力増幅器の電源電圧を入力変調波の包絡線により制御するいわゆるエンベロープトラッキング方式を用いること、すなわち本願補正発明でいう「電圧変調器（ＶＭＣ）」を備えるようにすることはごく一般的な周知の技術事項であり、引用発明においても、トランスミッタが有する電力増幅器についてかかる周知の技術事項を採用し、相違点１に係る構成とすることは当業者であれば適宜なし得ることである。
　
［相違点２］について 
　例えば特開平１−３００６２８号公報（特に２頁左上欄１６〜同頁右上欄１１行、第６図、第７図を参照）、特開平１１−２６６１７５号公報（特に【請求項１】〜【請求項２】、段落【０００１】、【０００９】〜【００１５】、図１を参照）、及び特開２００４−２９７５４９号公報（特に【請求項１】、段落【００１７】〜【００３１】、【００３７】〜【００３８】、図２を参照）に記載のように、異なる周波数帯域をカバーするように、周波数帯域の異なる２つのデュプレクサ（共用器）を設け、これを周波数帯域に応じて切替スイッチで選択して使用することは周知の技術事項であり、引用発明においてもかかる周知の技術事項を採用し、２つのデュプレクサ（第１デュプレクサと第２ディプレクサ）それぞれについて、周波数帯域の異なるさらに２つのデュプレクサとし、これを周波数帯域に応じて切替スイッチで選択して使用するようにして相違点２に係る構成とすることは当業者であれば容易になし得ることである。
　
　そして、上記各相違点を総合的に判断しても本願補正発明が奏する効果は、引用発明及び周知の技術事項から当業者が予測できたものであって、格別顕著なものがあるとはいえない。 
　 
（４）むすび 
　以上のとおり、本願補正発明は、引用発明及び周知の技術事項に基づいて当業者が容易に発明をすることができたものであるから、特許法第２９条第２項の規定により、特許出願の際独立して特許を受けることができないものである。
２−２．特許法第３６条第６項第１号・第２号違反
（１）請求項１において、「前記回路装置は、異なる周波数帯域をカバーするように、周波数帯域当り２つのデュプレクサを有し、異なるデュプレクサおよび周波数帯域の間で切替える手段を備える・・」とあるが、周波数帯域当り２つのデュプレクサが、回路装置の何処に設けられるのか、特に少なくとも３つの９０°ハイブリッド（ＨＹＢ１，ＨＹＢ２，ＨＹＢ３）などとどのように接続されてなるものであるのかが不明であり、この点において請求項１に係る発明は明確なものでない。
　
（２）請求項２において、「前記回路装置は、さらに少なくとも２つのデュプレクサ（ＤＰＸ１，ＤＰＸ２）を備え」とあるが、引用する請求項１の「前記回路装置は、異なる周波数帯域をカバーするように、周波数帯域当り２つのデュプレクサを有し・・」なる記載事項との関係、より具体的には「周波数帯域当り２つのデュプレクサ」と「さらに少なくとも２つのデュプレクサ（ＤＰＸ１，ＤＰＸ２）」との関係が不明瞭であり、請求項２に係る発明は明確でない。
　また、上記記載によれば、回路装置は「周波数帯域当り２つのデュプレクサ」とは別に、さらに「少なくとも２つのデュプレクサ（ＤＰＸ１，ＤＰＸ２）」を有するものであるかのようにも解されるが、このようなことは発明の詳細な説明に記載されていないことであり、この点において請求項２に係る発明は発明の詳細な説明に記載されたものとも認められないものである。
（３）請求項２３についても、上記（１）と同様のことがいえ、請求項２３に係る発明は明確なものでない。
　よって、本件出願は、特許請求の範囲の記載が特許法第３６条第６項第１号・第２号に規定する要件を満たしていないから、本件補正後の請求項１、２、２３に係る各発明は、特許出願の際独立して特許を受けることができないものである。
３．本件補正についてのむすび
　したがって、本件補正は、特許法第１７条の２第６項において準用する同法第１２６条第７項の規定に違反するものであるから、同法第１５９条第１項で読み替えて準用する同法第５３条第１項の規定により却下すべきものである。 
　
第３　本願発明について 
　平成２７年８月２８日付けの手続補正は上記のとおり却下されたので、本願の請求項２３に係る発明（以下、「本願発明」という。）は、平成２６年１１月１４日付け手続補正書の特許請求の範囲の請求項２３に記載された、次のとおりのものである。 
「【請求項２３】
　少なくとも１つの増幅器（ＰＡ)と、
　１つのアンテナポート（ＡＮＴ）と、
　１つの送信ポート（ＴＸ）と、
　１つの受信ポート（ＲＸ）と、
　少なくとも３つの９０°ハイブリッド（ＨＹＢ１，ＨＹＢ２，ＨＹＢ３）を備え、前記９０°ハイブリッドのそれぞれが入力信号を２つの出力信号に分割し、当該２つの出力信号は、互いに９０°の相対的位相シフトを有するようになっている回路装置と、
を備える増幅器モジュールであって、
　前記アンテナポート，前記送信ポート，および前記受信ポート（ＡＮＴ，ＴＸ，ＲＸ）は、それぞれ少なくとも１つの９０°ハイブリッド（ＨＹＢ１，ＨＹＢ２，ＨＹＢ３）に接続されており、
　前記増幅器（ＰＡ）の少なくとも１つは、前記送信ポート（ＴＸ）と前記９０°ハイブリッドの１つ（ＨＹＢ１）との間に直列に接続されており、
　前記増幅器モジュールは、１つの増幅器（ＰＡ）または１つの増幅器ユニットに対し１つの電圧変調器（ＶＭＣ）を備える増幅器モジュール。」
 　 
１．引用例 
　原査定の拒絶の理由で引用された引用例及びその記載事項は、前記「第２　２−１．（１）」に記載したとおりである。 
 　 
２．対比・判断 
　本願発明は、前記「第２　２−１．」で検討した本願補正発明の発明特定事項である、少なくとも３つの９０°ハイブリッドを備える「回路装置」について、「異なる周波数帯域をカバーするように、周波数帯域当り２つのデュプレクサを有し、異なるデュプレクサおよび周波数帯域の間で切替える手段」を備えるとの限定を省いたものに相当する。 
　そうすると、本願発明の発明特定事項を全て含み、更に他の限定事項（上記相違点２に係る構成）を付加したものに相当する本願補正発明が前記「第２　２−１．（３）」に記載したとおり、引用発明及び周知の技術事項に基づいて当業者が容易に発明をすることができたものであるから、本願補正発明から上記他の限定事項（上記相違点２に係る構成）を省いたものである本願発明も、同様の理由により、引用発明及び周知の技術事項に基づいて当業者が容易に発明をすることができたものである。 
 　 
３．むすび 
　以上のとおり、本願の請求項２３に係る発明は、特許法第２９条第２項の規定により特許を受けることができないものであるから、その余の請求項について論及するまでもなく、本願は拒絶すべきものである。 
　よって、結論のとおり審決する。